(57)【要約】【課題】軽量化やコスト低減の要求に十分に応えつつ所要のシールド効果を発揮できるシールド構造を有するワイヤーハーネスを提供する。【解決手段】複数の電線によって構成される電線群１と、電線群を束状に保持するように取り囲む保持部材と、を備えたワイヤーハーネスであって、電線群１が、中心側に位置する線状導体からなる第１の電線１１と、この電線１１を取り囲む筒状の電線被覆１４と、第１の電線１１よび電線被覆１４を間に挟んで互いに絶縁されつつ対向する一対の分割筒状の導体からなる第２の電線１２および第３の電線１３とを含んで構成されている。【選択図】図１
2016051690.tif 000002
【特許請求の範囲】
【請求項１】
複数の電線によって構成される電線群と、該電線群を束状に保持するように取り囲む保持部材と、を備えたワイヤーハーネスであって、
前記電線群が、中心側に位置する線状導体からなる第１の電線と、該第１の電線を取り囲む筒状の電線被覆と、前記第１の電線および前記電線被覆を間に挟んで互いに絶縁されつつ対向する一対の分割筒状の導体からなる第２の電線および第３の電線と、を含んで構成されていることを特徴とするワイヤーハーネス。
【請求項２】
前記第１の電線の外周面部上に前記電線被覆が密着して形成されるとともに、前記第２の電線および前記第３の電線が前記電線被覆の外周面部に固着するように形成され、前記第１の電線、前記第２の電線および前記第３の電線が互いに絶縁されつつ１本の電線状に一体化されていることを特徴とする請求項１に記載のワイヤーハーネス。
【請求項３】
前記第１の電線をトランジスタの３つの端子のうち出力に係る１つの端子に接続させる第１の端子と、前記第２の電線および前記第３の電線を前記トランジスタに対し電源の正端子電圧側および負端子電圧側に接続させる第２の端子および第３の端子と、を有するコネクタを更に備えていることを特徴とする請求項２に記載のワイヤーハーネス。
【請求項４】
前記保持部材が、前記第２の電線および前記第３の電線を取り囲むとともに相互に絶縁させる外側の絶縁被覆によって構成され、
前記第１の電線、前記第２の電線および前記第３の電線と、前記電線被覆および前記外側の絶縁被覆とが、１本の電線状に一体化されていることを特徴とする請求項２または請求項３に記載のワイヤーハーネス。
【発明の詳細な説明】
【技術分野】
【０００１】
本発明は、ワイヤーハーネスに関し、特にトランジスタ入出力回路に使用される場合等に好適な電磁遮蔽構造を有するワイヤーハーネスに関する。
【背景技術】
【０００２】
従来、ワイヤーハーネスの電線群を所定の配索区間でシールド（電磁遮蔽等）する場合には、シールドしたい区間の電線群を、編組線シールド材、横巻き線シールド材、アルミ箔等のシールド材で包み込むとともに、その外側から被覆用の外装材で取り囲む電線のシールド構造が多用されている（例えば、特許文献１、２参照）。
【０００３】
また、シールド効果や交流電流使用時の電流密度確保といった観点で、内側の非金属線状体の外周面部上に導体層とその導体層を取り囲む絶縁層とを形成した電線も知られている（例えば、特許文献３参照）。
【先行技術文献】
【特許文献】
【０００４】
【特許文献１】特開平１０−１２５１３８号公報
【特許文献２】特開２００９−９３９３４号公報
【特許文献３】特開２０１０−２１０２６号公報
【発明の概要】
【発明が解決しようとする課題】
【０００５】
しかしながら、電線群をシールド材および被覆用の外装材で包み込む従来のワイヤーハーネスにあっては、シールドしたい配索区間の電線束に、編組線シールド材や横巻き線シールド材等のシールド材と被覆用の外装材とを重ねて外装するため、その巻き付け作業に手間がかかるのに加えて、ワイヤーハーネスがかさ張り、ワイヤーハーネスに対する軽量化やコスト低減の要求にも十分に応えることができなかった。そして、シールドしたい配索区間が広範囲となる場合には、その問題が顕著になっていた。
【０００６】
特に、トランジスタ入出力回路に使用される電線を含むワイヤーハーネスにおいては、信号電線をツイストペア線としてノイズ対策を行った上で、シールド材と被覆用の外装材とを重ねて外装することになるため、上記の問題がより顕著になっていた。
【０００７】
また、筒状の導体層の外側に絶縁層を形成する従来の電線をワイヤーハーネスに採用する場合も、そのような電線の導体を他の電線のシールドに有効に寄与させることは困難であった。そのため、やはり、ワイヤーハーネスとしては、他の電線のシールドのために電線群をシールド材で包み込む作業に手間がかかる上にワイヤーハーネスがかさ張ることになり、ワイヤーハーネスに対する軽量化やコスト低減の要求に十分に応えることができなかった。
【０００８】
本発明は、上記従来の課題を解決すべくなされたものであり、軽量化やコスト低減の要求に十分に応えつつ所要のシールド効果を発揮できるシールド構造を有するワイヤーハーネスを提供することを目的とするものである。
【課題を解決するための手段】
【０００９】
本発明に係るワイヤーハーネスは、上記目的達成のため、複数の電線によって構成される電線群と、該電線群を束状に保持するように取り囲む保持部材と、を備えたワイヤーハーネスであって、前記電線群が、中心側に位置する線状導体からなる第１の電線と、該第１の電線を取り囲む筒状の電線被覆と、前記第１の電線および前記電線被覆を間に挟んで互いに絶縁されつつ対向する一対の分割筒状の導体からなる第２の電線および第３の電線と、を含んで構成されている。
【００１０】
この構成により、本発明では、第１の電線を取り囲む電線被覆の外周面部に第２の電線および第３の電線を沿わせて、第１ないし第３の電線を互いに絶縁させつつ容易に一体化でき、３回路の導体として利用可能な第１ないし第３の電線を小径に配置できる。しかも、第２の電線および第３の電線は、第１の電線を挟んで対向する分割筒状の導体であるから、第１の電線に対してシールド材を追加することなくある程度の電磁遮蔽効果を奏し得るものとなる。その結果、軽量化やコスト低減の要求に十分に応えつつ所要のシールド効果を発揮できるワイヤーハーネスを製造可能となる。
【００１１】
本発明のワイヤーハーネスにおいては、前記第１の電線の外周面部上に前記電線被覆が密着して形成されるとともに、前記第２の電線および前記第３の電線が前記電線被覆の外周面部に固着するように形成され、前記第１の電線、前記第２の電線および前記第３の電線が互いに絶縁されつつ１本の電線状に一体化されているとよい。
【００１２】
この構成により、第１ないし第３の電線の取り扱いが容易になり、作業性が向上する。
【００１３】
本発明のワイヤーハーネスは、前記第１の電線をトランジスタの３つの端子のうち出力に係る１つの端子に接続させる第１の端子と、前記第２の電線および前記第３の電線を前記トランジスタに対し電源の正端子電圧側および負端子電圧側に接続させる第２の端子および第３の端子と、を有するコネクタを更に備えていてもよい。
【００１４】
この構成により、トランジスタ入出力回路に使用される電線を含むワイヤーハーネスの軽量化やコスト低減の要求に応えつつ所要のシールド効果を発揮できるものとなる。
【００１５】
本発明のワイヤーハーネスにおいては、前記保持部材が、前記第２の電線および前記第３の電線を取り囲むとともに相互に絶縁させる外側の絶縁被覆によって構成され、前記第１の電線、前記第２の電線および前記第３の電線と、前記電線被覆および前記外側の絶縁被覆とが、１本の電線状に一体化されている。
【００１６】
この構成により、実質的に１本の電線に３回路の導体を持たせて、電線本数を減らすことができ、第１ないし第３の電線の取り扱いがさらに容易となるとともに、軽量化やコスト低減にさらに有利なものとなる。
【発明の効果】
【００１７】
本発明によれば、軽量化やコスト低減の要求に十分に応えつつ所要のシールド効果を発揮できるシールド構造を有するワイヤーハーネスを提供することができる。
【図面の簡単な説明】
【００１８】
【図１】（ａ）は本発明の一実施形態に係るワイヤーハーネスの電線群を構成する第１ないし第３の電線の要部の横断面図であり、（ｂ）は図１（ａ）のＢ１矢視図である。
【図２】図１に示すワイヤーハーネスの第１ないし第３の電線にトランジスタ入出力回路に接続可能なコネクタを装着した状態を示す要部側面断面図である。
【図３】図２に示すコネクタの第１ないし第３の電線へ装着前の状態を示すこれら双方の斜視図である。
【図４】図２に示すコネクタの第１ないし第３の電線への装着後の状態を示す斜視図である。
【図５】図４に示すコネクタおよび第１ないし第３の電線における第１ないし第３の導体と第１ないし第３の端子との接続状態の説明図である。
【図６】本発明の一実施形態に係るワイヤーハーネスの第１ないし第３の電線を１本の電線状に一体化する工程の説明図である。
【図７】比較例のワイヤーハーネスの要部側面図である。
【発明を実施するための形態】
【００１９】
以下、本発明を実施するための形態について図面を参照しつつ説明する。
【００２０】
（一実施形態）
図１ないし図６に、本発明の一実施形態に係るワイヤーハーネスＷを示している。
【００２１】
なお、本実施形態におけるワイヤーハーネスＷは、複数本の電線からなる電線群１にコネクタや端子等を装着してユニット化したものであり、自動車に搭載される電装機器を電源や制御機器等に接続できるように構成されている。
【００２２】
このワイヤーハーネスＷの電線群１は、図示しない車体パネル上の所定の配索経路に沿って配索可能な可撓性を有しており、その配索経路の途中には、電磁遮蔽等のためのシールドが要求されるシールド区間が設定されている。
【００２３】
図１（ａ）および図１（ｂ）に示すように、ワイヤーハーネスＷは、少なくとも第１の電線１１、第２の電線１２および第３の電線１３を含む電線群１と、この電線群１を束状に保持するように取り囲む保持部材（詳細は後述する）とを備えている。
【００２４】
第１の電線１１は、電線群１の内側に位置する略円形横断面の導体からなる線状体であり、その外周面部１１ａ上に筒状の電線被覆１４が形成されている。
【００２５】
第１の電線１１は、例えば複数本の軟銅線（軟導線）を撚り合わせた円形より線で構成されているが、勿論、より線でなく単線の芯線として構成されてもよいし、中空線状の導体で構成されてもよい。
【００２６】
電線被覆１４は、例えば塩化ビニルまたはポリエチレン等を主体とする樹脂製の円筒形（チューブ状）の絶縁材で構成されており、その外周面部１４ａが略円筒面となっている。この電線被覆１４は、第１の電線１１の外周面部１１ａ上に密着（密接）するように積層して形成されている。
【００２７】
第２の電線１２および第３の電線１３は、第１の電線１１および電線被覆１４を間に挟んで互いに絶縁されつつ対向する一対の分割筒状の導体からなり、両電線１２、１３によって一対のスリット１５ａを有する略円筒状の導体層１５が形成されている。
【００２８】
これら第２の電線１２および第３の電線１３は、例えばアルミニウム（Ａｌ）、鉄（Ｆｅ）または銅（Ｃｕ）のいずれか、あるいはその合金によって形成された導体膜であり、それぞれ電線被覆１４の外周面部１４ａに固着するように形成されている。
【００２９】
さらに、これら第２の電線１２および第３の電線１３の外周面部１２ａ、１３ａ上には、外側の絶縁被覆１６が積層形成されている。
【００３０】
この外側の絶縁被覆１６は、第２の電線１２および第３の電線１３を外方側から取り囲んで被覆する筒状被覆部１６ａを構成するとともに、第２の電線１２および第３の電線１３の対向する両側端縁部１２ｅ、１３ｅの間で電線被覆１４の外周面部１４ａに固着することで、第２の電線１２および第３の電線１３を互いに絶縁させる線状絶縁部１６ｂ、１６ｃを構成している。
【００３１】
これら第１の電線１１、第２の電線１２および第３の電線１３と、電線被覆１４および外側の絶縁被覆１６とは、第１ないし第３の電線１１〜１３が電線被覆１４および外側の絶縁被覆１６によって互いに絶縁されつつ１本の電線状に一体化された複合電線２０を構成している。
【００３２】
図２に示すように、ワイヤーハーネスＷは、少なくともこの複合電線２０と、この複合電線２０に装着されたコネクタ２２とを含んで構成されている。そして、ワイヤーハーネスＷの電線群１が複合電線２０のみで構成される場合には、外側の絶縁被覆１６の筒状被覆部１６ａが第１の電線１１、第２の電線１２および第３の電線１３を束状に保持する保持部材を構成するようになっている。
【００３３】
ワイヤーハーネスＷの電線群１が複合電線２０と他の電線を含む場合には、外側の絶縁被覆１６の筒状被覆部１６ａに代えてまたはこれと併せて、結束バンドや結束テープ、コルゲートチューブ等の保持部材によって複合電線２０と他の電線とが束状に保持されることになる。
【００３４】
複合電線２０に装着されたコネクタ２２は、第１の電線１１、第２の電線１２および第３の電線１３にそれぞれ対応する第１の端子３１、第２の端子３２および第３の端子３３と、これらの端子３１〜３３を一体的に保持するコネクタハウジング３４とによって構成されている。
【００３５】
図２ないし図５に示すように、第１ないし第３の端子３１〜３３は、それぞれ雄端子として形成されており、コネクタ２２が雄側コネクタとして構成されている。
【００３６】
コネクタハウジング３４には、図２中に仮想線で示す雌側コネクタ２３を嵌入可能な嵌合凹部３４ａが形成されている。
【００３７】
また、コネクタハウジング３４には、嵌合凹部３４ａの内底壁部３４ｂに第２および第３の端子３２、３３が一体に成形されるとともに、内底壁部３４ｂの中央の端子挿入孔３４ｃに第１の端子３１が抜け止め可能に嵌入されている。
【００３８】
これら第１ないし第３の端子３１〜３３は、コネクタハウジング３４の嵌合凹部３４ａ内に雌側のコネクタ２３の先端部が嵌入されるとき、その雌側コネクタ２３のコネクタハウジングに支持された３つの雌側端子（詳細図示せず）に嵌入されて電気的に接続されるようになっている。
【００３９】
また、雌側コネクタ２３は、例えば車載機器の制御径路の一部であるトランジスタ入出力回路５０に接続されており、コネクタ２２の第１の端子３１は、この雌側コネクタ２３を介して、第１の電線１１をトランジスタ入出力回路５０におけるトランジスタ５１の３つの端子５１ａ、５１ｂ、５１ｃ（エミッタ、ベース、コレクタ）のうち制御出力に係る１つの端子５１ａ（エミッタ）側に接続させている。一方、コネクタ２２の第２の端子３２および第３の端子３３は、第２の電線１２および第３の電線１３をトランジスタ５１に対して電源の正端子電圧（Ｂ＋）側および負端子電圧（Ｂ−）側に接続させている。トランジスタ５１に対して電源の正端子電圧側および負端子電圧側とは、第２の電線１２および第３の電線１３が、電源の正端子側および負端子側（グランド側）に接続される場合の他、トランジスタ入出力回路５０に接続する正電圧ライン（＋Ｖａ）および負電圧ライン（−Ｖａ）が存在する場合にそれらに接続されてもよいことを意味する。トランジスタ入出力回路５０は、例えばセンサの出力端子に接続され、その検出信号を増幅したりＯＮ／ＯＦＦ信号を生成したりして車載ＥＣＵ（電子制御ユニット）等に送る回路である。
【００４０】
ワイヤーハーネスＷの電線群１においては、このように電線被覆１４を間に挟んで第１の電線１１を概ね取り囲む第２の電線１２および第３の電線１３が、電源の正端子電圧（Ｂ＋）側および負端子電圧（Ｂ−）側に接続される。
【００４１】
これら第２の電線１２および第３の電線１３は、物理蒸着法の一種である高周波イオンプレーティングにより電線被覆１４の外周面部１４ａに強固に固着するように形成された蒸着膜となっている。
【００４２】
ここにいう高周波イオンプレーティングは、例えば電線被覆１４の素材を含む線状の被加工物の送り方向に連なる複数の真空チャンバを用いて、電子銃や高周波誘導コイルを装備する後段のチャンバ内に蒸着金属の材料（以下、蒸着金属材という）と被加工物を入れた状態で、実行されるようになっている。
【００４３】
具体的には、まず、前段側の真空チャンバ内を１０−３から１０−４Ｐａ程度の高真空に真空排気しつつ、これに連なる後段のチャンバ内を、超高真空（または極高真空）用の真空ポンプにより１０−８Ｐａ以上の超高真空に真空引きする。また、この真空引きと同時に後段のチャンバ内に不活性ガスもしくは反応性ガスを注入する。
【００４４】
そして、そのような超高真空状態の後段のチャンバ内で、誘導コイルに高周波電流を流すことで、高周波電磁場によりイオンと電子に分離した低温のプラズマを誘導的に発生させ、絶縁物である被覆電線の素材をマイナスにバイアスしつつ、金属蒸着材に電子ビームを照射して金属を蒸発させる。
【００４５】
このとき、金属粒子がプラスイオンとなり、被加工物側に加速され、チャンバ内に反応性ガスが注入される場合は、金属粒子と反応性ガスが結びついて化学反応が促進される。さらに、プラズマ中のイオン化した蒸発金属原子等は、被加工物周辺に生じる陰極暗部で加速されて高エネルギーで被加工物の表面に衝突する。それにより、被加工物の表面部が分子レベルで加熱され、付着力の強固な金属蒸着膜が形成される。
【００４６】
ところで、この金属蒸着膜によって形成される第２の電線１２および第３の電線１３は、互いに絶縁されているので、上述のような金属蒸着膜の成膜作業後に円筒状の金属蒸着膜を第２の電線１２および第３の電線１３に分割する必要がある。
【００４７】
そこで、例えば図６（ａ）に示すように金属蒸着膜の成膜作業に先立って電線被覆１４の外周面部１４ａに一対のマスキングテープＴ（図中ではマスキングテープの幅と厚さを大きく誇張して図示している）を平行に貼っておく。そして、図６（ｂ）に示すように電線被覆１４の外周面部１４ａおよびマスキングテープＴ上に金属蒸着膜Ｆｐが成膜された後、図６（ｃ）に示すようにマスキングテープＴを電線被覆１４の外周面部１４ａから剥ぎ取ることで、円筒状の金属蒸着膜Ｆｐを第２の電線１２および第３の電線１３に分割する。
【００４８】
そして、電線１２および第３の電線１３の分割後の複合電線素材２０Ｍに対し、その周囲を取り囲んで被覆する外側の絶縁被覆１６を公知の押出し成形機により形成すると、図６（ｄ）に示すように、第１の電線１１、第２の電線１２および第３の電線１３の間を電線被覆１４および外側の絶縁被覆１６によって互いに絶縁する複合電線２０となる。
【００４９】
このようにして電線被覆１４の外周面部１４ａに固着するように形成される第２の電線１２および第３の電線１３は、緻密で、電線被覆１４の外周面部１４ａから剥離し難い略円筒状の蒸着された導体膜となっている。
【００５０】
すなわち、この導体膜である第２の電線１２および第３の電線１３と電線被覆１４の外周面部１４ａとの固着面部分には、双方が分子レベルで結合するように相互に入り込んで結合した強固な固着層である含金属のプラズマ重合膜の層が形成されている。ここにいう含金属のプラズマ重合膜の層、すなわち、含金属プラズマ重合層は、高周波イオンプレーティングによって好適に形成し得るが、熱収縮に対する十分な固着強度（耐剥離性）を持たせ得るものであれば、スパッタリングその他の方法で成膜したものであってもよい。
【００５１】
第２の電線１２および第３の電線１３の膜厚は、電線１２のサイズ（外径）や要求特性、電線群１のシールド区間に要求されるシールド性能等に応じて、例えば１μｍ以下の最小膜厚値から数十μｍ程度の膜厚値の間で、好適な膜厚値に設定される。
【００５２】
なお、図２および図３においては、第１の端子３１を、第１の電線１１の一端部に圧着する板状の端子として構成し、その先端部分が第１の電線１１の中心からオフセットして配置されるものとして図示しているが、例えばチューブ状の一端部を第１の電線１１の一端部に圧着させ、他端部を閉塞させた円柱状の端子形状にしたり、その他端側を板状につぶしたりして、第１の端子３１を第１の電線１１の中心線上に配置することも可能である。
【００５３】
次に、作用について説明する。
【００５４】
上述のように構成される本実施形態のワイヤーハーネスＷにおいては、第１の電線１１を取り囲む電線被覆１４の外周面部１４ａに沿って第２の電線１２および第３の電線１３を互いに絶縁させつつ固着させて一体化できるので、３回路の導体として利用可能な第１ないし第３の電線１１〜１３を小径に配置した複合電線２０を構成できる。したがって、複数の電線１１〜１３を有するワイヤーハーネスＷを小径にできる。
【００５５】
しかも、第２の電線１２および第３の電線１３は、対向する分割筒状の導体であるから、シールド材を追加することなく、第２の電線１２および第３の電線１３によって略筒状の導体層を第１の電線１１の周囲に形成し、ある程度の電磁遮蔽効果を奏する構成とすることができる。その結果、軽量化やコスト低減の要求に十分に応えつつ所要のシールド効果を発揮できるシールド構造を有するワイヤーハーネスＷとなる。
【００５６】
また、本実施形態では、第１の電線１１の外周面部１１ａ上に電線被覆１４が積層形成されるとともに、第２の電線１２および第３の電線１３が電線被覆１４の外周面部１４ａに固着するように形成され、第１の電線１１、第２の電線１２および第３の電線１３が互いに絶縁されつつ１本の複合電線２０の形状に一体化されている。
【００５７】
したがって、第１ないし第３の電線１１〜１３の取り扱いも容易となり、ワイヤーハーネスＷの製造工程における作業性が向上する。
【００５８】
さらに、本実施形態では、ワイヤーハーネスＷがコネクタ２２を更に備え、そのコネクタ２２は、第１の電線１１をトランジスタ５１の３つの端子のうち出力に係る１つの端子５１ａに接続させる第１の端子３１と、第２の電線１２および第３の電線１３をトランジスタ５１の３つの端子のうち電源の正端子電圧（Ｂ＋）側および負端子電圧（Ｂ−）側に接続させる第２の端子３２および第３の端子３３とを有している。
【００５９】
したがって、トランジスタ入出力回路５０に使用される電線１１〜１３を含むワイヤーハーネスＷの軽量化やコスト低減の要求に応えつつ所要のシールド効果を発揮できるものとなる。
【００６０】
加えて、本実施形態では、保持部材となる外側の絶縁被覆１６が第２の電線１２および第３の電線１３を取り囲むとともに相互に絶縁させ、第１の電線１１、第２の電線１２および第３の電線１３と、電線被覆１４および外側の絶縁被覆１６とが、１本の複合電線２０の形状に一体化されている。したがって、実質的に１本の電線として取扱い可能な複合電線２０に３回路の導体を持たせて、電線本数を減らすことができ、軽量化やコスト低減にさらに有利なものとなる。
【００６１】
本発明のこのような作用効果を明確にするために、図７に比較例を示す。
【００６２】
図７に示す複数の電線１０１、１０２、１０３は、一実施形態における第１ないし第３の電線１１〜１３と同様に、３端子のコネクタを介してトランジスタ入出力回路５０に使用されるものであり、信号電線である電線１０１〜１０３のいずれかをツイストペア線としてノイズ対策を行った上で、シールド材１０５と被覆用の外装材１０６とを重ねて外装し、さらに、ドレイン線１０７を設けている。
【００６３】
この比較例では、電線１０１〜１０３がそれぞれ絶縁被覆電線となり、信号線を含む２芯または３芯のツイスト線を形成して、その外側からシールド材１０５と被覆用の外装材１０６とを重ねて外装することになるため、部品点数が多いばかりか、シールド区間におけるワイヤーハーネスの径寸法が大きくならざるを得ない。
【００６４】
これに対し、一実施形態のワイヤーハーネスＷは、比較例の複数の電線１０１〜１０３を複合電線２０に置き換えることができるものであり、電線本数が減るのに加えてシールド区間のみならず全区間におけるワイヤーハーネスの径寸法が小さくなり、その取扱いやワイヤーハーネスＷの製造工程中における手作業が大幅に減少し、軽量化やコスト低減にさらに有利なものとなることがわかる。
【００６５】
なお、上述の一実施形態では、シールド用の第２の電線１２および第３の電線１３を蒸着膜からなる薄膜導体としたが、本発明にいう第２の電線および第３の電線は金属薄膜でなく独立した円弧断面の線状体として形成され、被覆樹脂中に埋め込まれたものであってもよい。また、第２の電線および第３の電線となる導体膜を形成する際に両電線を最初から独立した一対の分割筒状に成形することも考えられる。また、第２の電線および第３の電線を同時に成膜した後に分割する方法もマスキングテープ以外のマスキング手法を採用可能であることも勿論である。
【００６６】
さらに、上述の一実施形態では、第２の電線１２および第３の電線１３を付着性が高い高周波イオンプレーティングにより形成されるものとしたが、スパッタリングその他の方法で成膜された蒸着膜であってもよい。
【００６７】
以上説明したように、本発明は、軽量化やコスト低減の要求に十分に応えつつ所要のシールド効果を発揮できるシールド構造を有するワイヤーハーネスを提供できるものであり、トランジスタ入出力回路に使用される場合等に好適な電磁遮蔽構造を有するワイヤーハーネス全般に有用である。
【符号の説明】
【００６８】
１  電線群
２  保持部材
１１  電線（第１の電線、内側の導体）
１１ａ  外周面部
１２  電線（第２の電線、外側の導体）
１２ａ、１３ａ  外周面部
１２ｅ、１３ｅ  側端縁部
１３  電線（第３の電線、外側の導体）
１４  電線被覆
１４ａ  外周面部
１５  導体層（シールド層）
１６  外側の絶縁被覆
１６ａ  筒状被覆部
１６ｂ、１６ｃ  線状絶縁部
２０  複合電線
２０Ｍ  複合電線素材
２２  コネクタ（雄側コネクタ）
２３  雌側コネクタ
３１  第１の端子
３２  第２の端子
３３  第３の端子
３４  コネクタハウジング
３４ａ  嵌合凹部
３４ｂ  内底壁部
３４ｃ  端子挿入孔
５０  トランジスタ入出力回路
５１  トランジスタ
５１ａ  端子（出力に係る端子）
【図１】
2016051690.tif 000003
【図２】
2016051690.tif 000004
【図３】
2016051690.tif 000005
【図４】
2016051690.tif 000006
【図５】
2016051690.tif 000007
【図６】
2016051690.tif 000008
【図７】
2016051690.tif 000009